(57)【要約】【課題】複数のコンフィギュアドグラントを設定する際，基地局装置における信号検出を効率的に行うこと。【解決手段】  コンフィギュアドグラントスケジューリングに関して、複数の時間オフセットの値を設定することで、複数の送信機会を生成する。各送信機会はスロット繰り返し送信が適用される。複数の時間オフセットによって、複数の送信パターンが発生した場合、該複数の送信パターンの内、残された繰り返し送信回数が多くなる送信パターンによって送信を行う。【選択図】図4
2020072375.tif 000002
【特許請求の範囲】
【請求項１】
基地局装置とコンフィギュアドグラントスケジューリングによって通信を行う端末装置であって、前記コンフィギュアドグラントスケジューリングのタイムオフセットとして、複数の値を設定する制御部と、
前記コンフィギュアドグラントスケジューリングの繰り返し回数として１より大きい値を設定する上位層処理部を備え、
前記制御部は、前記複数の前記繰り返し回数が多くなる設定によって送信を開始する端末装置。
【請求項２】
前記制御部は、コンフィギュアドグラントスケジューリングをアクティベートするために有効なＰＤＣＣＨを複数回受信することで複数のタイムオフセットを設定し、コンフィギュアドグラントスケジューリングをリリースするために有効なＰＤＣＣＨを１回受信することで複数のタイムオフセットの設定をリリースする請求項１に記載の端末装置。
【請求項３】
前記制御部は、ＰＤＣＣＨのＨＡＲＱに関するフィールドの値によって、異なる時間オフセットの設定とタイムオフセットの更新を制御する請求項１記載の端末装置。
【請求項４】
前記上位層処理部で複数の時間オフセットが設定され、該複数のタイムオフセットは制御部に入力される請求項１記載の端末装置。
【請求項５】
端末装置とコンフィギュアドグラントスケジューリングによって通信を行う基地局装置であって、
前記コンフィギュアドグラントスケジューリングのタイムオフセットとして、複数の値を設定する制御部と、
前記コンフィギュアドグラントスケジューリングの繰り返し回数として１より大きい値を設定する上位層処理部を備え、
前記複数の前記繰り返し回数が多くなる設定によって前記端末装置の送信部が送信を開始として受信を行う受信部を備える基地局装置。
【発明の詳細な説明】
【技術分野】
【０００１】
本発明は、端末装置、基地局装置およびその通信方法に関する。
【背景技術】
【０００２】
３ＧＰＰ（Third Generation Partnership Project）で仕様化されているＬＴＥ（Long
Term Evolution）の通信システムでは、ＤＣＩ(Downlink Control Information、グラント)を基地局装置から端末装置に通知し、通知されたＤＣＩによってデータ送信を行うダ
イナミックスケジューリングが仕様化されている。ダイナミックスケジューリングでは、１つのＤＣＩを受信した場合、1回の伝送が行われる。一方、ダイナミックスケジューリ
ングに加えて、周期的に無線リソースを割り当てるＳＰＳ(Semi-Persistent Scheduling)が仕様化されている。ＳＰＳでは、１つのＤＣＩを受信した場合においても、周期的な無線リソースの割り当てが行われるため、複数回のデータ伝送を行うことができる。
【０００３】
現在３ＧＰＰでは、ｅＭＢＢ（enhanced Mobile Broad Band）、ＵＲＬＬＣ（Ultra-Reliable and Low Latency Communications）、ｍＭＴＣ（massive Machine-Type Communications）をユースケースとし、第５世代移動通信(New Radio、ＮＲ)の標準化を行ってい
る。ＮＲ  Ｒｅｌ−１５ではＬＴＥのＳＰＳを拡張したＣＳ（Configured scheduling，
コンフィギュアドグラントスケジューリング）が仕様化されている。ＣＳでは、スロットを繰り返した伝送が可能であり、伝送の信頼度の向上が可能となっている。
【０００４】
Ｒｅｌ−１６では、さらなる高信頼性（パケット受信成功率９９．９９９９％）や低遅延性（０．５ｍｓから１ｍｓの遅延）を達成するため、３ＧＰＰで行われている。（非特許文献２、非特許文献３）
【先行技術文献】
【非特許文献】
【０００５】
【非特許文献１】3GPP TS38.211, V15.2.0, “Physical channels and modulation (Release 15)”.
【非特許文献２】Huawei, HiSilicon, Nokia, Nokia Shanghai Bell, “SID on Physical Layer Enhancements for NR URLLC”, RP-181477.
【非特許文献３】Huawei, HiSilicon, “Enhanced UL configured grant transmissions”, R1-1808100.
【発明の概要】
【発明が解決しようとする課題】
【０００６】
Ｒｅｌ−１６では、信頼性や低遅延性を向上させることになっている。ＣＳの設定として複数の設定を用意することで送信機会を増加させることが検討されている。しかしながら、複数の設定が存在する場合の優先度等、詳細については十分な検討がなされていない。一方で、複数のＣＳ設定を行うには、端末装置と基地局装置で制御信号を規定し、制御信号の送信によって行う必要がある。
【０００７】
本発明はこのような事情を鑑みてなされたものであり、その目的は、複数のＣＳ設定が存在する場合の制御方法を提供することにある。
【課題を解決するための手段】
【０００８】
上述した課題を解決するために本発明に係る基地局装置、端末装置および通信方法の構成は、次の通りである。
【０００９】
（１）本発明の一態様は、基地局装置とコンフィギュアドグラントスケジューリングによって通信を行う端末装置であって、前記コンフィギュアドグラントスケジューリングの時間オフセットとして、複数の値を設定する制御部と、前記コンフィギュアドグラントスケジューリングの繰り返し回数として１より大きい値を設定する上位層処理部を備え、前記制御部は、前記複数の前記繰り返し回数が多くなる設定によって送信を開始する。
【００１０】
（２）本発明の一態様は、前記制御部は、コンフィギュアドグラントスケジューリングをアクティベートするために有効なＰＤＣＣＨを複数回受信することで複数の時間オフセットを設定し、コンフィギュアドグラントスケジューリングをリリースするために有効なＰＤＣＣＨを１回受信することで複数の時間オフセットの設定をリリースする。
【００１１】
（３）本発明の一態様は、前記制御部は、ＰＤＣＣＨのＨＡＲＱに関するフィールドの値によって、異なる時間オフセットの設定と時間オフセットの更新を制御する。
【００１２】
（４）本発明の一態様は、前記上位層処理部で複数の時間オフセットが設定され、該複数の時間オフセットは制御部に入力される。
【００１３】
（５）本発明の一態様は、端末装置とコンフィギュアドグラントスケジューリングによって通信を行う基地局装置であって、前記コンフィギュアドグラントスケジューリングの時間オフセットとして、複数の値を設定する制御部と、前記コンフィギュアドグラントスケジューリングの繰り返し回数として１より大きい値を設定する上位層処理部を備え、前記複数の前記繰り返し回数が多くなる設定によって前記端末装置の送信部が送信を開始として受信を行う受信部を備える。
【発明の効果】
【００１４】
本発明の一又は複数の態様によれば、基地局装置及び端末装置は、複数のＣＳ設定を行うことができる選択することができる。
【図面の簡単な説明】
【００１５】
【図１】第１の実施形態に係る通信システム１の構成例を示す図である。
【図２】第１の実施形態に係る基地局装置の構成例を示す図である。
【図３】第１の実施形態に係る端末装置の構成例を示す図である。
【図４】第１の実施形態に係る複数のタイムオフセットが設定される場合の送信機会を表した図である。
【図５】第１の実施形態に係る複数のタイムオフセットが設定される場合の送信機会を表した図であって、第２のタイムオフセットによる送信機会が複数の第１のタイムオフセットによる送信機会と部分的に重複する場合を示す図である。
【発明を実施するための形態】
【００１６】
本実施形態に係る通信システムは、基地局装置（セル、スモールセル、サービングセル、コンポーネントキャリア、ｅＮｏｄｅＢ、Ｈｏｍｅ  ｅＮｏｄｅＢ、ｇＮｏｄｅＢ）および端末装置（端末、移動端末、ＵＥ:User Equipment）を備える。該通信システムにお
いて、下りリンクの場合、基地局装置は送信装置（送信点、送信アンテナ群、送信アンテナポート群、ＴＲＰ(Tx/Rx Point)）となり、端末装置は受信装置（受信点、受信端末、
受信アンテナ群、受信アンテナポート群）となる。上りリンクの場合、基地局装置は受信装置となり、端末装置は送信装置となる。前記通信システムは、Ｄ２Ｄ（Device-to-Device、sidelink）通信にも適用可能である。その場合、送信装置も受信装置も共に端末装置になる。
【００１７】
前記通信システムは、人間が介入する端末装置と基地局装置間のデータ通信に限定されるものに限定されない。つまり、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ
通信の形態にも、適用することができる。この場合、端末装置がＭＴＣ端末となる。前記通信システムは、上りリンク及び下りリンクにおいて、ＣＰ−ＯＦＤＭ（Cyclic Prefix - Orthogonal Frequency Division Multiplexing）等のマルチキャリア伝送方式を用いることができる。前記通信システムは、上りリンクにおいて、Transform precoderに関する上位層パラメータが設定された場合、Transform precodingを適用、つまりＤＦＴを適用
するＤＦＴＳ−ＯＦＤＭ（Discrete Fourier Transform Spread - Orthogonal Frequency
Division Multiplexing、SC-FDMAとも称される）等の伝送方式を用いる。なお、以下で
は、上りリンク及び下りリンクにおいて、ＯＦＤＭ伝送方式を用いた場合で説明するが、これに限らず、他の伝送方式を適用することができる。
【００１８】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００１９】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
（第１の実施形態）
図１は、本実施形態に係る通信システム１の構成例を示す図である。本実施形態における通信システム１は、基地局装置１０、端末装置２０を備える。カバレッジ１０ａは、基地局装置１０が端末装置２０と接続（通信）可能な範囲（通信エリア）である（セルとも呼ぶ）。なお、基地局装置１０は、カバレッジ１０ａにおいて、複数の端末装置２０を収容することができる。
【００２０】
図１において、上りリンク無線通信ｒ３０は、少なくとも以下の上りリンク物理チャネルを含む。上りリンク物理チャネルは、上位層から出力された情報を送信するために使用される。
・物理上りリンク制御チャネル（ＰＵＣＣＨ）
・物理上りリンク共有チャネル（ＰＵＳＣＨ）
・物理ランダムアクセスチャネル（ＰＲＡＣＨ）
ＰＵＣＣＨは、上りリンク制御情報（Uplink Control Information: UCI）を送信する
ために用いられる物理チャネルである。上りリンク制御情報は、下りリンクデータに対する肯定応答（positive acknowledgement: ACK）／否定応答（Negative acknowledgement:
NACK）を含む。ここで下りリンクデータとは、Downlink transport block, Medium Access Control Protocol Data Unit: MAC PDU, Downlink-Shared Channel: DL-SCH, Physical Downlink Shared Channel: PDSCH等を示す。ＡＣＫ／ＮＡＣＫは、ＨＡＲＱ−ＡＣＫ（Hybrid Automatic Repeat request ACKnowledgement）、ＨＡＲＱフィードバック、ＨＡ
ＲＱ応答、または、ＨＡＲＱ制御情報、送達確認を示す信号とも称される。
【００２１】
ＮＲは、少なくともＰＵＣＣＨフォーマット０、ＰＵＣＣＨフォーマット１、ＰＵＣＣＨフォーマット２、ＰＵＣＣＨフォーマット３、ＰＵＣＣＨフォーマット４という５つのフォーマットをサポートする。ＰＵＣＣＨフォーマット０およびＰＵＣＣＨフォーマット２は、１または２のＯＦＤＭシンボルから構成され、それ以外のＰＵＣＣＨは４〜１４のＯＦＤＭシンボルから構成される。またＰＵＣＣＨフォーマット０およびＰＵＣＣＨフォ
ーマット１の帯域幅１２サブキャリアから構成される。また、ＰＵＣＣＨフォーマット０では、１２サブキャリアかつ１ＯＦＤＭシンボル（あるいは２ＯＦＤＭシンボル）のリソースエレメントで１ビット（あるいは２ビット）のＡＣＫ／ＮＡＣＫが送信される。
【００２２】
上りリンク制御情報は、初期送信のためのＰＵＳＣＨ（Uplink-Shared Channel: UL-SCH）リソースを要求するために用いられるスケジューリングリクエスト（Scheduling Request: SR）を含む。スケジューリングリクエストは、初期送信のためのＵＬ−ＳＣＨリソ
ースを要求することを示す。
【００２３】
上りリンク制御情報は、下りリンクのチャネル状態情報（Channel State Information:
CSI）を含む。前記下りリンクのチャネル状態情報は、好適な空間多重数（レイヤ数）を示すランク指標（Rank Indicator: RI）、好適なプレコーダを示すプレコーディング行列指標（Precoding Matrix Indicator: PMI）、好適な伝送レートを指定するチャネル品質
指標（Channel Quality Indicator: CQI）などを含む。前記ＰＭＩは、端末装置によって決定されるコードブックを示す。該コードブックは、物理下りリンク共有チャネルのプレコーディングに関連する。
【００２４】
ＮＲでは、上位層パラメータＲＩ制限を設定することができる。ＲＩ制限には複数の設定パラメータが存在し、１つはタイプ１シングルパネルＲＩ制限であり、8ビットで構成
される。ビットマップパラメータであるタイプ１シングルパネルＲＩ制限は、ビット系列ｒ７、…ｒ２、ｒ１を形成する。ここでｒ７、はＭＳＢ（Most Significant Bit）であり、ｒ０、はＬＳＢ（Least Significant Bit）である。ｒiがゼロの時（ｉは０、１、…７）、i＋１レイヤに関連付いたプリコーダに対応するＰＭＩとＲＩレポーティングは許容
されない。ＲＩ制限にはタイプ１シングルパネルＲＩ制限の他にタイプ１マルチパネルＲＩ制限があり、4ビットで構成される。ビットマップパラメータであるタイプ１マルチパ
ネルＲＩ制限は、ビット系列ｒ４、ｒ３、ｒ２、ｒ１を形成する。ここでｒ４、はＭＳＢであり、ｒ０、はＬＳＢである。ｒiがゼロの時（ｉは０、１、２、３）、i＋１レイヤに関連付いたプリコーダに対応するＰＭＩとＲＩレポーティングは許容されない。
【００２５】
前記ＣＱＩは、所定の帯域における好適な変調方式（例えば、ＱＰＳＫ、１６ＱＡＭ、６４ＱＡＭ、２５６ＱＡＭＡＭなど）、符号化率（coding rate）、および周波数利用効
率を指し示すインデックス（ＣＱＩインデックス）を用いることができる。端末装置は、ＰＤＳＣＨのトランスポートブロックがブロック誤り確率（ＢＬＥＲ）０．１を超えずに受信可能であろうＣＱＩインデックスをＣＱＩテーブルから選択する。ただし上位層シグナリングによって所定のＣＱＩテーブルが設定された場合には、ＢＬＥＲ＝０．００００１を超えずに受信可能であろうＣＱＩインデックスをＣＱＩテーブルから選択する。
【００２６】
ＰＵＳＣＨは、上りリンクデータ（Uplink Transport Block、Uplink-Shared Channel:
UL-SCH）を送信するために用いられる物理チャネルであり、伝送方式としては、ＣＰ−
ＯＦＤＭ、もしくはＤＦＴ−Ｓ−ＯＦＤＭが適用される。ＰＵＳＣＨは、前記上りリンクデータと共に、下りリンクデータに対するＨＡＲＱ−ＡＣＫおよび／またはチャネル状態情報を送信するために用いられてもよい。ＰＵＳＣＨは、チャネル状態情報のみを送信するために用いられてもよい。ＰＵＳＣＨはＨＡＲＱ−ＡＣＫおよびチャネル状態情報のみを送信するために用いられてもよい。
【００２７】
ＰＵＳＣＨは、無線リソース制御（Radio Resource Control: RRC）シグナリングを送
信するために用いられる。ＲＲＣシグナリングは、ＲＲＣメッセージ／ＲＲＣ層の情報／ＲＲＣ層の信号／ＲＲＣ層のパラメータ／ＲＲＣ情報要素とも称される。ＲＲＣシグナリングは、無線リソース制御層において処理される情報／信号である。基地局装置から送信されるＲＲＣシグナリングは、セル内における複数の端末装置に対して共通のシグナリン
グであってもよい。基地局装置から送信されるＲＲＣシグナリングは、ある端末装置に対して専用のシグナリング（dedicated signalingとも称する）であってもよい。すなわち
、ユーザ装置スペシフィック（ユーザ装置固有）な情報は、ある端末装置に対して専用のシグナリングを用いて送信される。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。
【００２８】
ＰＵＳＣＨは、ＭＡＣ  ＣＥ（Medium Access Control Element）を送信するために用
いられる。ＭＡＣ  ＣＥは、媒体アクセス制御層（Medium Access Control layer）にお
いて処理（送信）される情報／信号である。例えば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００２９】
ＰＲＡＣＨは、ランダムアクセスに用いるプリアンブルを送信するために用いられる。ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージ
ャ、上りリンク送信に対する同期（タイミング調整）、およびＰＵＳＣＨ（ＵＬ−ＳＣＨ）リソースの要求を示すために用いられる。
【００３０】
上りリンクの無線通信では、上りリンク物理信号として上りリンク参照信号（Uplink Reference Signal: UL RS）が用いられる。上りリンク参照信号には、復調用参照信号（Demodulation Reference Signal: DMRS）、サウンディング参照信号（Sounding Reference Signal: SRS）が含まれる。ＤＭＲＳは、物理上りリンク共有チャネル／物理上りリンク
制御チャネルの送信に関連する。例えば、基地局装置１０は、物理上りリンク共有チャネル／物理上りリンク制御チャネルを復調するとき、伝搬路推定／伝搬路補正を行うために復調用参照信号を使用する。
【００３１】
ＳＲＳは、物理上りリンク共有チャネル／物理上りリンク制御チャネルの送信に関連しない。基地局装置１０は、上りリンクのチャネル状態を測定（CSI Measurement）するた
めにＳＲＳを使用する。
【００３２】
図１において、下りリンクｒ３１の無線通信では、少なくとも以下の下りリンク物理チャネルが用いられる。下りリンク物理チャネルは、上位層から出力された情報を送信するために使用される。
・物理報知チャネル（ＰＢＣＨ）
・物理下りリンク制御チャネル（ＰＤＣＣＨ）
・物理下りリンク共有チャネル（ＰＤＳＣＨ）
ＰＢＣＨは、端末装置で共通に用いられるマスターインフォメーションブロック（Master Information Block: MIB, Broadcast Channel: BCH）を報知するために用いられる。
ＭＩＢはシステム情報の１つである。例えば、ＭＩＢは、下りリンク送信帯域幅設定、システムフレーム番号（ＳＦＮ：System Frame number）を含む。ＭＩＢは、ＰＢＣＨが送
信されるスロットの番号、サブフレームの番号、および、無線フレームの番号の少なくとも一部を指示する情報を含んでもよい。
【００３３】
ＰＤＣＣＨは、下りリンク制御情報（Downlink Control Information: DCI）を送信す
るために用いられる。下りリンク制御情報は、用途に基づいた複数のフォーマット（ＤＣＩフォーマットとも称する）が定義される。１つのＤＣＩフォーマットを構成するＤＣＩの種類やビット数に基づいて、ＤＣＩフォーマットは定義されてもよい。各フォーマットは、用途に応じて使われる。下りリンク制御情報は、下りリンクデータ送信のための制御情報と上りリンクデータ送信のための制御情報を含む。下りリンクデータ送信のためのＤＣＩフォーマットは、下りリンクアサインメント（または、下りリンクグラント）とも称する。上りリンクデータ送信のためのＤＣＩフォーマットは、上りリンクグラント（または、上りリンクアサインメント）とも称する。
【００３４】
１つの下りリンクアサインメントは、１つのサービングセル内の１つのＰＤＳＣＨのスケジューリングに用いられる。下りリンクグラントは、該下りリンクグラントが送信されたスロットと同じスロット内のＰＤＳＣＨのスケジューリングのために少なくとも用いられてもよい。下りリンクアサインメントには、ＰＤＳＣＨのための周波数領域リソース割り当て、時間領域リソース割り当て、ＰＤＳＣＨに対するＭＣＳ（Modulation and Coding Scheme）、初期送信または再送信を指示するＮＤＩ（NEW Data Indicator）、下りリンクにおけるＨＡＲＱプロセス番号を示す情報、誤り訂正符号化時にコードワードに加えられた冗長性の量を示すＲｅｄｕｄａｎｃｙ  ｖｅｒｓｉｏｎなどの下りリンク制御情報が含まれる。コードワードは、誤り訂正符号化後のデータである。下りリンクアサインメントはＰＵＣＣＨに対する送信電力制御（ＴＰＣ：Transmission Power Control）コマンド、ＰＵＳＣＨに対するＴＰＣコマンドを含めてもよい。上りリンクグラントは、ＰＵＳＣＨを繰り返し送信する回数を示すＲｅｐｅｔｉｔｏｎ  ｎｕｍｂｅｒを含めてもよい。なお、各下りリンクデータ送信のためのＤＣＩフォーマットには、上記情報のうち、その用途のために必要な情報（フィールド）が含まれる。
【００３５】
１つの上りリンクグラントは、１つのサービングセル内の１つのＰＵＳＣＨのスケジューリングを端末装置に通知するために用いられる。上りリンクグラントは、ＰＵＳＣＨを送信するためのリソースブロック割り当てに関する情報（リソースブロック割り当ておよびホッピングリソース割り当て）、時間領域リソース割り当て、ＰＵＳＣＨのＭＣＳに関する情報（ＭＣＳ／Ｒｅｄｕｎｄａｎｃｙ  ｖｅｒｓｉｏｎ）、ＤＭＲＳポートに関する情報、ＰＵＳＣＨの再送に関する情報、ＰＵＳＣＨに対するＴＰＣコマンド、下りリンクのチャネル状態情報（Channel State Information: CSI）要求（CSI request）、など上
りリンク制御情報を含む。上りリンクグラントは、上りリンクにおけるＨＡＲＱプロセス番号を示す情報、ＰＵＣＣＨに対する送信電力制御（ＴＰＣ：Transmission Power Control）コマンド、ＰＵＳＣＨに対するＴＰＣコマンドを含めてもよい。なお、各上りリンクデータ送信のためのＤＣＩフォーマットには、上記情報のうち、その用途のために必要な情報（フィールド）が含まれる。
【００３６】
ＤＭＲＳシンボルを送信するＯＦＤＭシンボル番号（ポジション）は、もし周波数ホッピングが適用されず、ＰＵＳＣＨマッピングタイプＡの場合、スロットの初めのＯＦＤＭシンボルとそのスロットでスケジュールされたＰＵＳＣＨリソースの最後のＯＦＤＭシンボルの間のシグナリングされた期間によって与えられる。周波数ホッピングが適用されず、ＰＵＳＣＨマッピングタイプＢの場合、スケジュールされたＰＵＳＣＨリソース期間によって与えられる。周波数ホッピングが適用される場合、ホップあたりの期間で与えられる。ＰＵＳＣＨマッピングタイプＡに関して、先頭のＤＭＲＳのポジションを示す上位層パラメータが２である場合のみ、追加のＤＭＲＳ数を示す上位層パラメータが３の場合がサポートされる。またＰＵＳＣＨマッピングタイプＡに関して、４シンボル期間は、先頭のＤＭＲＳのポジションを示す上位層パラメータが２である場合のみ適用可能である。
【００３７】
ＰＤＣＣＨは、下りリンク制御情報に巡回冗長検査（Cyclic Redundancy Check: CRC）を付加して生成される。ＰＤＣＣＨにおいて、ＣＲＣパリティビットは、所定の識別子を
用いてスクランブル（排他的論理和演算、マスクとも呼ぶ）される。パリティビットは、Ｃ−ＲＮＴＩ（Cell-Radio Network Temporary Identifier）、ＣＳ（Configured Scheduling）−ＲＮＴＩ、Ｔｅｍｐｏｒａｒｙ  Ｃ−ＲＮＴＩ、Ｐ（Paging）−ＲＮＴＩ、ＳＩ（System Information）−ＲＮＴＩ、またはＲＡ（Random Access）−ＲＮＴＩでスクラ
ンブルされる。Ｃ−ＲＮＴＩおよびＣＳ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置を識別するための識別子である。Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＣＳ−ＲＮＴＩは、ＰＤＳＣＨまたはＰＵＳＣＨのリソースを周期的に割り当てるために用いられる。ここでＣＳ−ＲＮＴＩでスクランブリングされたＰＤＣＣＨ（ＤＣＩフォーマット）は、ＣＳタイプ２をアクティベートあるいはデアクティベートするために用いられる。一方、ＣＳタイプ１ではＣＳ−ＲＮＴＩでスクランブリングされたＰＤＣＣＨに含まれる制御情報（ＭＣＳや無線リソース割当等）は、ＣＳに関する上位層パラメータに含め、該上位層パラメータによってＣＳのアクティベート（設定）を行う。Ｐ−ＲＮＴＩは、ページングメッセージ(Paging Channel: PCH)を送信するために用いられる。ＳＩ−ＲＮＴＩは、ＳＩＢを送信するために用
いられる、ＲＡ−ＲＮＴＩは、ランダムアクセスレスポンス(ランダムアクセスプロシジ
ャーにおけるメッセージ２)を送信するために用いられる。
【００３８】
ＰＤＳＣＨは、下りリンクデータ（下りリンクトランスポートブロック、DL-SCH）を送信するために用いられる。ＰＤＳＣＨは、システムインフォメーションメッセージ（System Information Block: SIBとも称する。）を送信するために用いられる。ＳＩＢの一部
又は全部は、ＲＲＣメッセージに含めることができる。
【００３９】
ＰＤＳＣＨは、ＲＲＣシグナリングを送信するために用いられる。基地局装置から送信されるＲＲＣシグナリングは、セル内における複数の端末装置に対して共通（セル固有）であってもよい。すなわち、そのセル内のユーザ装置共通な情報は、セル固有のＲＲＣシグナリングを使用して送信される。基地局装置から送信されるＲＲＣシグナリングは、ある端末装置に対して専用のメッセージ（dedicated signalingとも称する）であってもよ
い。すなわち、ユーザ装置スペシフィック（ユーザ装置固有）な情報は、ある端末装置に対して専用のメッセージを使用して送信される。
【００４０】
ＰＤＳＣＨは、ＭＡＣ  ＣＥを送信するために用いられる。ＲＲＣシグナリングおよび／またはＭＡＣ  ＣＥを、上位層の信号（higher layer signaling）とも称する。ＰＭＣＨは、マルチキャストデータ（Multicast Channel: MCH）を送信するために用いられる。
【００４１】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００４２】
同期信号は、端末装置が、下りリンクの周波数領域および時間領域の同期を取るために用いられる。下りリンク参照信号は、端末装置が、下りリンク物理チャネルの伝搬路推定／伝搬路補正を行なうために用いられる。例えば、下りリンク参照信号は、ＰＢＣＨ、ＰＤＳＣＨ、ＰＤＣＣＨを復調するために用いられる。下りリンク参照信号は、端末装置が、下りリンクのチャネル状態の測定（ＣＳＩ  ｍｅａｓｕｒｅｍｅｎｔ）するために用いることもできる。
【００４３】
下りリンク物理チャネルおよび下りリンク物理信号を総称して、下りリンク信号とも称
する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００４４】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トラ
ンスポートブロックはコードワードにマップされ、コードワード毎に符号化処理などが行なわれる。
【００４５】
図２は、本実施形態に係る基地局装置１０の構成の概略ブロック図である。基地局装置１０は、上位層処理部（上位層処理ステップ）１０２、制御部（制御ステップ）１０４、送信部（送信ステップ）１０６、送信アンテナ１０８、受信アンテナ１１０、受信部（受信ステップ）１１２を含んで構成される。送信部１０６は、上位層処理部１０２から入力される論理チャネルに応じて、物理下りリンクチャネルを生成する。送信部１０６は、符号化部（符号化ステップ）１０６０、変調部（変調ステップ）１０６２、下りリンク制御信号生成部（下りリンク制御信号生成ステップ）１０６４、下りリンク参照信号生成部（下りリンク参照信号生成ステップ）１０６６、多重部（多重ステップ）１０６８、および無線送信部（無線送信ステップ）１０７０を含んで構成される。受信部１１２は、物理上りリンクチャネルを検出し（復調、復号など）、その内容を上位層処理部１０２に入力する。受信部１１２は、無線受信部（無線受信ステップ）１１２０、伝搬路推定部（伝搬路推定ステップ）１１２２、多重分離部（多重分離ステップ）１１２４、等化部（等化ステップ）１１２６、復調部（復調ステップ）１１２８、復号部（復号ステップ）１１３０を含んで構成される。
【００４６】
上位層処理部１０２は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。上位層処理部１０２は、送信部１０６および受信部１１２の制御を行なうために必要な情報を生成し、制御部１０４に出力する。上位層処理部１０２は、下りリンクデータ（DL-SCHなど）、システム情報(MIB, SIB)などを送信部１０６に出力する。なお、ＤＭＲＳ構成情報はＲＲＣ等の上位レイヤによる通知ではなく、システム情報（ＭＩＢあるいはＳＩＢ）によって端末装置に通知してもよい。
【００４７】
上位層処理部１０２は、ブロードキャストするシステム情報（MIB、又はSIBの一部）を生成、又は上位ノードから取得する。上位層処理部１０２は、ＢＣＨ／ＤＬ−ＳＣＨとして、前記ブロードキャストするシステム情報を送信部１０６に出力する。前記ＭＩＢは、送信部１０６において、ＰＢＣＨに配置される。前記ＳＩＢは、送信部１０６において、ＰＤＳＣＨに配置される。上位層処理部１０２は、端末装置固有のシステム情報(SIB)を
生成し、又は上位の―度から取得する。該ＳＩＢは、送信部１０６において、ＰＤＳＣＨに配置される。
【００４８】
上位層処理部１０２は、各端末装置のための各種ＲＮＴＩを設定する。前記ＲＮＴＩは、ＰＤＣＣＨ、ＰＤＳＣＨなどの暗号化（スクランブリング）に用いられる。上位層処理部１０２は、前記ＲＮＴＩを、制御部１０４／送信部１０６／受信部１１２に出力する。
【００４９】
上位層処理部１０２は、ＰＤＳＣＨに配置される下りリンクデータ（トランスポートブ
ロック、DL-SCH）、端末装置固有のシステムインフォメーション（System Information Block: SIB）、ＲＲＣメッセージ、ＭＡＣ  ＣＥ、ＤＭＲＳ構成情報がＳＩＢやＭＩＢの
ようなシステム情報や、ＤＣＩで通知されない場合はＤＭＲＳ構成情報などを生成、又は上位ノードから取得し、送信部１０６に出力する。上位層処理部１０２は、端末装置２０の各種設定情報の管理をする。なお、無線リソース制御の機能の一部は、ＭＡＣレイヤや物理レイヤで行われてもよい。
【００５０】
上位層処理部１０２は、端末装置がサポートする機能（UE capability）等、端末装置
に関する情報を端末装置２０（受信部１１２を介して）から受信する。端末装置２０は、自身の機能を基地局装置１０に上位層の信号（ＲＲＣシグナリング）で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００５１】
端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００５２】
上位層処理部１０２は、受信部１１２から復号後の上りリンクデータ（ＣＲＣも含む）からDL-SCHを取得する。上位層処理部１０２は、端末装置が送信した前記上りリンクデータに対して誤り検出を行う。例えば、該誤り検出はＭＡＣ層で行われる。
【００５３】
制御部１０４は、上位層処理部１０２／受信部１１２から入力された各種設定情報に基づいて、送信部１０６および受信部１１２の制御を行なう。制御部１０４は、上位層処理部１０２／受信部１１２から入力された設定情報に基づいて、下りリンク制御情報（ＤＣＩ）を生成し、送信部１０６に出力する。例えば制御部１０４は、上位層処理部１０２／受信部１１２から入力されたＤＭＲＳに関する設定情報（ＤＭＲＳ構成１であるかＤＭＲＳ構成２であるか）を考慮して、ＤＭＲＳの周波数配置（ＤＭＲＳ構成１の場合は偶数サブキャリアあるいは奇数サブキャリア、ＤＭＲＳ構成２の場合は第０〜第２のセットのいずれか）を設定し、ＤＣＩを生成する。
【００５４】
制御部１０４は、伝搬路推定部１１２２で測定されたチャネル品質情報（ＣＳＩ  Ｍｅａｓｕｒｅｍｅｎｔ結果）を考慮して、ＰＵＳＣＨのＭＣＳを決定する。制御部１０４は、前記ＰＵＳＣＨのＭＣＳに対応するＭＣＳインデックスを決定する。制御部１０４は、決定したＭＣＳインデックスをアップリンクグラントに含める。
【００５５】
送信部１０６は、上位層処理部１０２／制御部１０４から入力された信号に従って、ＰＢＣＨ、ＰＤＣＣＨ、ＰＤＳＣＨおよび下りリンク参照信号などを生成する。符号化部１０６０は、上位層処理部１０２から入力されたＢＣＨ、ＤＬ−ＳＣＨなどを、予め定められた／上位層処理部１０２が決定した符号化方式を用いて、ブロック符号、畳み込み符号、ターボ符号、ポーラ符号化、ＬＤＰＣ符号などによる符号化（リピティションを含む）を行なう。符号化部１０６０は、制御部１０４から入力された符号化率に基づいて、符号化ビットをパンクチャリングする。変調部１０６２は、符号化部１０６０から入力された符号化ビットをＢＰＳＫ、ＱＰＳＫ、１６ＱＡＭ、６４ＱＡＭ、２５６ＱＡＭ等の予め定められた／制御部１０４から入力された変調方式（変調オーダー）でデータ変調する。該
変調オーダーは、制御部１０４で選択された前記ＭＣＳインデックスに基づく。
【００５６】
下りリンク制御信号生成部１０６４は、制御部１０４から入力されたＤＣＩに対してＣＲＣを付加する。下りリンク制御信号生成部１０６４は、前記ＣＲＣに対して、ＲＮＴＩを用いて暗号化（スクランブリング）を行う。さらに、下りリンク制御信号生成部１０６４は、前記ＣＲＣが付加されたＤＣＩに対してＱＰＳＫ変調を行い、ＰＤＣＣＨを生成する。下りリンク参照信号生成部１０６６は、端末装置が既知の系列を下りリンク参照信号として生成する。前記既知の系列は、基地局装置１０を識別するための物理セル識別子などの基に予め定められた規則で求まる。
【００５７】
多重部１０６８は、ＰＤＣＣＨ／下りリンク参照信号／変調部１０６２から入力される各チャネルの変調シンボルを多重する。つまり、多重部１０６８は、ＰＤＣＣＨ／下りリンク参照信号を／各チャネルの変調シンボルをリソースエレメントにマッピングする。マッピングするリソースエレメントは、前記制御部１０４から入力される下りリンクスケジューリングによって制御される。リソースエレメントは、１つのＯＦＤＭシンボルと１つのサブキャリアからなる物理リソースの最小単位である。なお、ＭＩＭＯ伝送を行う場合、送信部１０６は符号化部１０６０および変調部１０６２をレイヤ数具備する。この場合、上位層処理部１０２は、各レイヤのトランスポートブロック毎にＭＣＳを設定する。
【００５８】
無線送信部１０７０は、多重された変調シンボルなどを逆高速フーリエ変換（Inverse Fast Fourier Transform: IFFT）してＯＦＤＭシンボルを生成する。無線送信部１０７０は、前記ＯＦＤＭシンボルにサイクリックプレフィックス（cyclic prefix: CP）を付加
してベースバンドのディジタル信号を生成する。さらに、無線送信部１０７０は、前記ディジタル信号をアナログ信号に変換し、フィルタリングにより余分な周波数成分を除去し、搬送周波数にアップコンバートし、電力増幅し、送信アンテナ１０８に出力して送信する。
【００５９】
受信部１１２は、制御部１０４の指示に従って、受信アンテナ１１０を介して端末装置２０からの受信信号を検出（分離、復調、復号）し、復号したデータを上位層処理部１０２／制御部１０４に入力する。無線受信部１１２０は、受信アンテナ１１０を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。
前記周波数領域の信号は、多重分離部１１２４に出力される。
【００６０】
多重分離部１１２４は、制御部１０４から入力される上りリンクのスケジューリングの情報（上りリンクデータチャネル割当て情報など）に基づいて、無線受信部１１２０から入力された信号をＰＵＳＣＨ、ＰＵＣＣＨ及上りリンク参照信号などの信号に分離する。前記分離された上りリンク参照信号は、伝搬路推定部１１２２に入力される。前記分離されたＰＵＳＣＨ、ＰＵＣＣＨは、等化部１１２６に出力する。
【００６１】
伝搬路推定部１１２２は、上りリンク参照信号を用いて、周波数応答（または遅延プロファイル）を推定する。復調用に伝搬路推定された周波数応答結果は、等化部１１２６へ入力される。伝搬路推定部１１２２は、上りリンク参照信号を用いて、上りリンクのチャネル状況の測定（RSRP(Reference Signal Received Power)、RSRQ(Reference Signal Received Quality)、RSSI(Received Signal Strength Indicator)の測定）を行う。上りリンクのチャネル状況の測定は、ＰＵＳＣＨのためのＭＣＳの決定などに用いられる。
【００６２】
等化部１１２６は、伝搬路推定部１１２２より入力された周波数応答より伝搬路での影響を補償する処理を行う。補償の方法としては、ＭＭＳＥ重みやＭＲＣ重みを乗算する方法や、ＭＬＤを適用する方法等、既存のいかなる伝搬路補償も適用することができる。復調部１１２８は、予め決められている／制御部１０４から指示される変調方式の情報に基づき、復調処理を行う。
【００６３】
復号部１１３０は、予め決められている符号化率／制御部１０４から指示される符号化率の情報に基づいて、前記復調部の出力信号に対して復号処理を行う。復号部１１３０は、復号後のデータ（UL-SCHなど）を上位層処理部１０２に入力する。
【００６４】
図３は、本実施形態における端末装置２０の構成を示す概略ブロック図である。端末装置２０は、上位層処理部（上位層処理ステップ）２０２、制御部（制御ステップ）２０４、送信部（送信ステップ）２０６、送信アンテナ２０８、受信アンテナ２１０および受信部（受信ステップ）２１２を含んで構成される。
【００６５】
上位層処理部２０２は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０２は、自端末装置の各種設定情報の管理をする。上位層処理部２０２は、自端末装置がサポートしている端末装置の機能を示す情報（UE Capability
）を、送信部２０６を介して、基地局装置１０へ通知する。上位層処理部２０２は、UE CapabilityをＲＲＣシグナリングで通知する。
【００６６】
上位層処理部２０２は、ＤＬ−ＳＣＨ、ＢＣＨなどの復号後のデータを受信部２１２から取得する。上位層処理部２０２は、前記ＤＬ−ＳＣＨの誤り検出結果から、ＨＡＲＱ−ＡＣＫを生成する。上位層処理部２０２は、ＳＲを生成する。上位層処理部２０２は、ＨＡＲＱ−ＡＣＫ／ＳＲ／ＣＳＩ（ＣＱＩレポートを含む）を含むＵＣＩを生成する。また上位層処理部２０２は、ＤＭＲＳ構成情報が上位レイヤによって通知されている場合、ＤＭＲＳ構成に関する情報を制御部２０４に入力する。上位層処理部２０２は、前記ＵＣＩやＵＬ−ＳＣＨを送信部２０６に入力する。なお、上位層処理部２０２の機能の一部は、制御部２０４に含めてもよい。
【００６７】
制御部２０４は、受信部２１２を介して受信した下りリンク制御情報（ＤＣＩ）を解釈する。制御部２０４は、上りリンク送信のためのＤＣＩから取得したＰＵＳＣＨのスケジューリング／ＭＣＳインデックス／ＴＰＣ（Transmission Power Control）などに従って、送信部２０６を制御する。制御部２０４は、下りリンク送信のためのＤＣＩから取得したＰＤＳＣＨのスケジューリング／ＭＣＳインデックスなどに従って、受信部２１２を制御する。さらに制御部２０４は、下りリンク送信のためのＤＣＩに含まれるＤＭＲＳの周波数配置に関する情報と、上位層処理部２０２から入力されるＤＭＲＳ構成情報にしたがって、ＤＭＲＳの周波数配置を特定する。
【００６８】
送信部２０６は、符号化部（符号化ステップ）２０６０、変調部（変調ステップ）２０６２、上りリンク参照信号生成部（上りリンク参照信号生成ステップ）２０６４、上りリンク制御信号生成部（上りリンク制御信号生成ステップ）２０６６、多重部（多重ステップ）２０６８、無線送信部（無線送信ステップ）２０７０を含んで構成される。
【００６９】
符号化部２０６０は、制御部２０４の制御に従って（ＭＣＳインデックスに基づいて算出される符号化率に従って）、上位層処理部２０２から入力された上りリンクデータ（UL-SCH）を畳み込み符号化、ブロック符号化、ターボ符号化等の符号化を行う。
【００７０】
変調部２０６２は、ＢＰＳＫ、ＱＰＳＫ、１６ＱＡＭ、６４ＱＡＭ、２５６ＱＡＭ等の制御部２０４から指示された変調方式／チャネル毎に予め定められた変調方式で、符号化部２０６０から入力された符号化ビットを変調する（ＰＵＳＣＨのための変調シンボルを生成する）。
【００７１】
上りリンク参照信号生成部２０６４は、制御部２０４の指示に従って、基地局装置１０を識別するための物理セル識別子（physical cell identity: PCI、Cell IDなどと称される）、上りリンク参照信号を配置する帯域幅、サイクリックシフト、ＤＭＲＳシーケンスの生成に対するパラメータの値、さらに周波数配置などを基に、予め定められた規則（式）で求まる系列を生成する。
【００７２】
上りリンク制御信号生成部２０６６は、制御部２０４の指示に従って、ＵＣＩを符号化、ＢＰＳＫ／ＱＰＳＫ変調を行い、ＰＵＣＣＨのための変調シンボルを生成する。
【００７３】
多重部２０６８は、制御部２０４からの上りリンクスケジューリング情報（ＲＲＣメッセージに含まれる上りリンクのためのＣＳ(Configured Scheduling)における送信間隔、
ＤＣＩに含まれる周波数領域および時間領域リソース割り当てなど）に従って、ＰＵＳＣＨのための変調シンボル、ＰＵＣＣＨのための変調シンボル、上りリンク参照信号を送信アンテナポート（ＤＭＲＳポート）毎に多重する（つまり、各信号はリソースエレメントにマップされる）。
【００７４】
ここで、ＣＳ（configured scheduling，コンフィギュアドグラントスケジューリング
）に関して説明を行う。ダイナミックグラントなしの伝送には2種類ある。１つは、ＲＲ
Ｃによって与えられ、configured grantとして保存されるconfigured grantタイプ1であ
り、１つは、PDCCHによって与えられ、configured grantアクティベーションあるいはデ
アクティベーションを示すＬ１シグナリングに基づいたconfigured grantとして保存およびクリアされるconfigured grantタイプ２である。タイプ１とタイプ２はサービングセル毎かつＢＷＰ毎にＲＲＣで設定される。複数の設定は、異なるサービングセルにおいてのみ同時にアクティブになり得る。タイプ２に関して、アクティベーションとデアクティベーションは、サービングセル間で独立である。同じサービングセルに関して、ＭＡＣエンティティはタイプ１あるいはタイプ２のどちらかで設定される。タイプ１が設定された時、ＲＲＣは次のパラメータを設定する。
・cs-RNTI：  再送のためのＣＳ−ＲＮＴＩ
・periodicity：  configured grantタイプ１の周期
・timeDomainOffset：  時間領域におけるＳＦＮ＝０に関するリソースのオフセット
・timeDomainAllocation：  パラメータstartSymbolAndLengthを含む、時間領域におけるconfigured grantの配置
・nrofHARQ-Processes：  ＨＡＲＱプロセスの数
また、タイプ２が設定された時、ＲＲＣは次のパラメータを設定する。
・cs-RNTI：  アクティベーション、デアクティベーション、再送のためのＣＳ−ＲＮＴ
Ｉ
・periodicity：  configured grantタイプ２の周期
・nrofHARQ-Processes：  ＨＡＲＱプロセスの数
つまりConfiguredGrantConfigは、2つの方式にしたがって、ダイナミックグラントなしでアップリンク伝送を設定するために用いられる。実際のアップリンクグラントは、Configured Grantタイプ１では、ＲＲＣ経由で設定され、Configured Grantタイプ２では、ＣＳ−ＲＮＴＩで処理されたＰＤＣＣＨ経由で与えられる。
【００７５】
上位層で設定されるパラメータrepKは、送信されたトランスポートブロックに適用される繰り返し数Ｋが定義される。上位層で設定されるパラメータrepK-RVは、繰り返しに適
用されるリダンダンシーバージョンパターンを示す。Ｋ回繰り返し中のｎ回目の送信機会に関して、設定されるＲＶ系列（リダンダンシーバージョンパターン）の中の（ｍｏｄ（ｎ−１、４）＋１）番目の値に関連付けられた伝送が行われる。また一つのトランスポートブロックの初送は、設定されるＲＶ系列が｛０、２、３、１｝の場合、Ｋ回繰り返しの最初の送信機会で開始される。設定されるＲＶ系列が｛０、３、０、３｝の場合、ＲＶ＝０と関連付けられたＫ回繰り返しのいずれかの送信機会で開始される。設定されるＲＶ系列が｛０、０、０、０｝の場合、Ｋ＝８の時の最後の送信機会を除く、Ｋ回繰り返しのいずれかの送信機会で開始される。いずれのＲＶ系列に関しても、繰り返しはＫ回繰り返し送信後、あるいは周期Ｐ内のＫ回繰り返し中の最後の送信機会、あるいは周期Ｐ内に同じトランスポートブロックをスケジューリングするためのアップリンクグラントを受信した時のいずれかに初めに達した場合に終端される。端末装置は、周期Ｐによって算出される時間期間よりも長いＫ回繰り返し送信に関する時間期間が設定されることを期待しない。コンフィギュアドグラントによるタイプ１およびタイプ２ＰＵＳＣＨ送信両方について、端末装置がｒｅｐＫ＞１と設定された時、端末装置はそのトランスポートブロックをｒｅｐＫの連続するスロットに渡って繰り返す。この時、端末装置は各スロットで同じシンボル配置を適用する。もしスロット構成の決定に関する端末装置のプロシージャが、配置されたスロットのシンボルをダウンリンクシンボルとして判断（決定）する場合、そのスロットにおける送信は複数スロットのＰＵＳＣＨ送信に関し省略される。repKが設定された場合、値として1回、２回、４回、８回のいずれかを設定可能である。ただし、ＲＲＣパ
ラメータ自体が存在しない場合、繰り返し数は１として送信を行う。またrepK-RVは、｛
０、２、３、１｝、｛０、３、０、３｝、｛０、０、０、０｝のいずれかが設定され得る。なお、同一のトランスポートブロックから生成される異なるリダンダンシーバージョンの信号は、同一のトランスポートブロック（情報ビット系列）から構成される信号であるが、構成される符号化ビットの少なくとも一部が異なる。
【００７６】
ここで、設定されるＲＶ系列が｛０、０、０、０｝の場合、Ｋ＝８の時の最後の送信機会を除く、Ｋ回繰り返しのいずれかの送信機会で開始される。この場合、最初の送信機会以外から送信を開始した場合を除き、8回の繰り返しを満たせなくなる。そこで３ＧＰＰ
では複数のタイム（時間）オフセットを設定することが提案されている。図４に複数のタイムオフセットを設定した場合のスロット構成を示す。設定１と設定２が設定される場合を示しているがこれに限定されず、3つ以上を設定してもよい。横軸はスロットインデッ
クスを示す。図４ではスロットを基準とする場合について説明を行うが、ミニスロットなど複数のＯＦＤＭシンボルから構成される区間であればどのようなものであってもよい。図４では、周期が８スロット、繰り返し数が４の場合を示している。設定１しか存在しない場合、スロットインデックス２あるいは１０から送信を開始した場合、４回繰り返しを行うことができるが、スロットインデックス４あるいは１２から送信を開始した場合、２回しか繰り返しを行うことができない。ところが設定２を持つ場合、スロットインデックス４あるいは１２から送信を開始する場合、設定２によって送信を行うことで４回繰り返しを実現することができる。
【００７７】
上述のように、複数のタイムオフセットを設定することで、設定１の最初の送信機会で送信を行わなかった場合においても、所定の繰り返しを行った伝送を行うことができる。しかしながら、図４のように所定のスロット（例えばスロットインデックス４、５、１２、１３）では設定１と設定２の両方で送信機会が設定されている。ここで、端末装置が設定１および設定２を選択可能な場合を考える。例えば、スロットインデックス４から送信を開始する場合、設定１で送信する場合、２回繰り返しを行い、スロットインデックス６から少なくともスロットインデックス９まで送信を行わないことになる。一方設定２で送信する場合、４回繰り返しを行うことになる。このように基地局としては２つのパターンが存在することになるため、スロットインデックス６および７において伝送が行わるかどうかを把握できない。このため基地局装置は、スロットインデックス６および７で信号検
出（ユーザ検出）を行う必要がある。その結果に応じて、当該端末装置へのＤＣＩの送信タイミングや割り当て等を変更する必要がある。さらにスロットインデックス４において設定１として送信を開始した場合、繰り返し数４を担保することができない。そこで、端末装置は複数のタイムオフセットが設定されることにより、複数の送信パターンが存在する場合、繰り返し送信数が多くなる設定（タイムオフセット）によって送信を開始する。言い換えると、残りの繰り返し回数が多い設定、つまり繰り返し期間（区間）が長くなる設定によって送信を開始する。なお同じタイムオフセットが設定された場合はどちらの設定によって送信したとみなしてもよいが、端末装置は同一のタイムオフセットが設定され、基地局装置から通知されることを期待しない。また図５のように、周期Ｐが５スロット（５×１４ＯＦＤＭシンボル）であり、繰り返し数ｒｅｐＫが４の場合、図５のような設定となる。この場合においてスロットインデックス５から送信を始める場合、繰り返し送信が多くなる設定２で送信を開始する。スロットインデックス５、６、７と送信を行った後、スロットインデックス８で送信を行えば４回繰り返しを実現することができるが、複数の設定を用いての繰り返し送信を行わない。これにより基地局はスロットインデックス８で送信が行われた場合、スロットインデックス５、６、７での送信とは異なるトランスポートブロックが送信されたとして処理を行うことができる。つまり、各設定で送信が開始された場合、確保された送信機会の終わりまでは、新しいトランスポートブロックを送信することはできない。あるいは、図５のように第１の設定における送信機会が、複数の連続する第２の設定の送信機会と重複するような設定を基地局が行わず、端末装置もそれを期待しないとしてもよい。
【００７８】
ここで、ＦＤＤではなくＴＤＤの場合において、送信のためのスロット（あるいはシンボル）がダウンリンクスロットの場合、繰り返し送信ができないスロットを考慮して、繰り返し送信数を規定してもよい。またコンフィギュアドグラントによる通信の再送は、ＤＣＩによるグラントに基づいた再送となる。ＤＣＩのＨＡＲＱプロセスは、各タイムオフセットが示す値に基づいてもよいし、第１のタイムオフセットが示す値に基づいて決定されてもよい。
【００７９】
次に複数のタイムオフセットの設定法について説明を行う。configured grantタイプ１において複数のタイムオフセットを設定する方法には、ＮＲリリース１５のＲＲＣパラメータであるtimeDomainOffsetの他に、例えばtimeDomainOffset2というパラメータを設定
することで第２のタイムオフセットの値を設定してもよい。追加するパラメータ数は１より多くてもよい。あるいはタイムオフセットの差分をパラメータとしてもよい。例えば図４では、第１のタイムオフセットと第２のタイムオフセットの差は２スロットであるため、基地局装置の上位層処理部はその差をＲＲＣパラメータとして設定する。端末装置は、第１のタイムオフセットとタイムオフセットの差分から、第２のタイムオフセットを算出する。なお、３以上のタイムオフセットを設定するには、追加のタイムオフセット数を別途設定すればよい。
【００８０】
ＮＲリリース１５におけるconfigured grantタイプ２のタイムオフセットは、configured grantを（再）アクティベートするためのＤＣＩ（ＰＤＣＣＨ）を受信した時間リソースに基づいて決定される。ここで、ＤＣＩの中のＨＡＲＱプロセスナンバーに関するフィールドとリダンダンシーバージョンに関するフィールドが、全て０に設定された場合にconfigured grantがアクティベートされる。複数のタイムオフセットを設定するには、ＨＡＲＱプロセスナンバーに関するフィールドを全て０とした場合にアクティベートとするのではなく、ＨＡＲＱプロセスナンバーに関するフィールドに基づいて、異なるタイムオフセットを設定可能とすることができる。例えば、ＨＡＲＱプロセスナンバーに関するフィールドとして、０００１でアクティベートされている場合に、ＨＡＲＱプロセスナンバーに関するフィールドとして、０００１であるＤＣＩを受信した場合、受信前に有効であったconfigured grantの設定を破棄し、ＨＡＲＱプロセスナンバーに関するフィールドが０
００１のconfigured grantとして再アクティベートする。一方、ＨＡＲＱプロセスナンバーに関するフィールドとして、０００１でアクティベートされている場合に、ＨＡＲＱプロセスナンバーに関するフィールドとして、００１０であるＤＣＩを受信した場合、受信前に有効であったconfigured grantの設定を維持しつつ、ＨＡＲＱプロセスナンバーに関するフィールドが００１０のconfigured grantとしてアクティベートする。これにより複数の設定をアクティベートすることができる。なおＨＡＲＱプロセスナンバーに関するフィールドのうち、一部のビットは０の場合のみ、ＰＤＣＣＨが有効としてもよい。一部のビットは最上位２ビット等、予め決まっていてもよいし、ＨＡＲＱのプロセス数に関するＲＲＣパラメータに応じて決定されてもよい。例えばＨＡＲＱのプロセス数に関するＲＲＣパラメータが１６で、ＨＡＲＱプロセスナンバーに関するフィールドが4ビットの場合
、ＰＤＣＣＨの有効性についてＨＡＲＱプロセスナンバーに関するフィールドは問われない。一方、ＨＡＲＱのプロセス数に関するＲＲＣパラメータが８で、ＨＡＲＱプロセスナンバーに関するフィールドが4ビットの場合、ＨＡＲＱプロセスナンバーに関するフィー
ルドにおいて上位2ビットが０の場合のみＰＤＣＣＨが有効とし、アクティベーションを
行う等である。このようにＲＲＣパラメータの設定に応じてＰＤＣＣＨを有効とするＤＣＩのフィールドを制限することで、ＰＤＣＣＨの誤検出を抑えることができる。なお、デアクティベートは、ＨＡＲＱプロセスナンバーに関するフィールドはすべて０としてもよい。アクティベートするＰＤＣＣＨのＨＡＲＱにおいて、ＨＡＲＱプロセスナンバーに関するフィールドはすべて０を排除してもよい。さらにデアクティベートは、１つのＰＤＣＣＨでconfigured grantタイプ２のすべての設定がデアクティベートされてもよい。
【００８１】
ＰＤＣＣＨによる（再）アクティベーション時には、ＭＣＳ等を指定することができる。以下にこの時の動作について説明を行う。ＨＡＲＱプロセスナンバーが０００１として設定されている場合において、ＨＡＲＱプロセスナンバーが０００１とするＰＤＣＣＨを受信した場合、設定はＰＤＣＣＨで指定されたパラメータに変更され、再アクティベートされる。一方、ＨＡＲＱプロセスナンバーが０００１として設定されている場合において、ＨＡＲＱプロセスナンバーが００１０とするＰＤＣＣＨを受信した場合、ＰＤＣＣＨで指定されるＰＵＳＣＨ送信のタイミングに基づいてタイムオフセットを追加される。この時、ＭＣＳ等の設定は、新しく受信したＰＤＣＣＨで指定されたパラメータに変更される。なお、configured grantタイプ１のみで複数の設定を可能とし、configured grantタイプ２では一つの設定のみ設定可能とすることが考えられる。これによりＲＲＣとＤＣＩという２つの制御情報を仕様化するのではなく、ＲＲＣのみの仕様化で複数の設定を設定することができる。
【００８２】
ＰＤＣＣＨによる（再）アクティベーション方法の別例を以下で説明する。ＲＲＣパラメータでタイムオフセットの数および基準となるタイムオフセット（第１のタイムオフセット）との差分がＲＲＣパラメータで設定され、コンフィギュアドグラントタイプ２をアクティベートするＰＤＣＣＨを受信した場合、前記複数のタイムオフセットを含むコンフィギュアドグラントタイプ２が有効化される。
【００８３】
周波数ホッピングに関する上位層パラメータ（frequencyHopping）が設定されている場合において、その値としてはモード１あるいはモード２が設定可能である。モード２はスロット間ホッピングであり、複数のスロットを用いて送信する場合において、スロットごとに周波数を変えて送信するモードである。一方、モード１はスロット内ホッピングであり、１つまたは複数のスロットを用いて送信する場合において、スロットを前半と後半に分割し、前半と後半で周波数を変えて送信するモードである。周波数ホッピングにおける周波数割り当てとしては、DCIやRRCで通知された周波数領域の無線リソース割り当ては第１のホップに適用し、第２のホップの周波数割り当ては、第１のホップで用いる無線リソースに対して、周波数ホッピング量に関する上位層パラメータ(frequencyHoppingOffset)で設定される値だけシフトした無線リソースを割り当てる。
【００８４】
無線送信部２０７０は、多重された信号をＩＦＦＴ（Inverse Fast Fourier Transform）して、ＯＦＤＭシンボルを生成する。無線送信部２０７０は、前記ＯＦＤＭシンボルにＣＰを付加し、ベースバンドのディジタル信号を生成する。さらに、無線送信部２０７０は、前記ベースバンドのディジタル信号をアナログ信号に変換し、余分な周波数成分を除去し、アップコンバートにより搬送周波数に変換し、電力増幅し、送信アンテナ２０８を介して基地局装置１０に送信する。
【００８５】
受信部２１２は、無線受信部（無線受信ステップ）２１２０、多重分離部（多重分離ステップ）２１２２、伝搬路推定部（伝搬路推定ステップ）２１４４、等化部（等化ステップ）２１２６、復調部（復調ステップ）２１２８、復号部（復号ステップ）２１３０を含んで構成される。
【００８６】
無線受信部２１２０は、受信アンテナ２１０を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２１２０は、変換したディジタル信号からＣＰに相当する部分を除去し、ＣＰを除去した信号に対してＦＦＴを行い、周波数領域の信号を抽出する。
【００８７】
多重分離部２１２２は、前記抽出した周波数領域の信号を下りリンク参照信号、ＰＤＣＣＨ、ＰＤＳＣＨ、ＰＢＣＨに分離する。伝搬路推定部２１２４は、下りリンク参照信号（ＤＭ−ＲＳなど）を用いて、周波数応答（または遅延プロファイル）を推定する。復調用に伝搬路推定された周波数応答結果は、等化部１１２６へ入力される。伝搬路推定部２１２４は、下りリンク参照信号（ＣＳＩ−ＲＳなど）を用いて、上りリンクのチャネル状況の測定（RSRP(Reference Signal Received Power)、RSRQ(Reference Signal Received Quality)、RSSI(Received Signal Strength Indicator)、SINR(Signal to Interference plus Noise power Ratio）の測定)を行う。下りリンクのチャネル状況の測定は、ＰＵＳ
ＣＨのためのＭＣＳの決定などに用いられる。下りリンクのチャネル状況の測定結果は、ＣＱＩインデックスの決定などに用いられる。
【００８８】
等化部２１２６は、伝搬路推定部２１２４より入力された周波数応答よりＭＭＳＥ規範に基づく等化重みを生成する。等化部２１２６は、多重分離部２１２２からの入力信号（ＰＵＣＣＨ、ＰＤＳＣＨ、ＰＢＣＨなど）に該等化重みを乗算する。復調部２１２８は、予め決められている／制御部２０４から指示される変調オーダーの情報に基づき、復調処理を行う。
【００８９】
復号部２１３０は、予め決められている符号化率／制御部２０４から指示される符号化率の情報に基づいて、前記復調部２１２８の出力信号に対して復号処理を行う。復号部２１３０は、復号後のデータ（DL-SCHなど）を上位層処理部２０２に入力する。
【００９０】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００９１】
なお、上述した実施形態における装置の一部、をコンピュータで実現するようにしても
良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【００９２】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９３】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００９４】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００９５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００９６】
本発明は、基地局装置、端末装置および通信方法に用いて好適である。
【符号の説明】
【００９７】
１０  基地局装置
２０  端末装置
１０ａ  基地局装置１０が端末装置と接続可能な範囲
１０２  上位層処理部
１０４  制御部
１０６  送信部
１０８  送信アンテナ
１１０  受信アンテナ
１１２  受信部
１０６０  符号化部
１０６２  変調部
１０６４  下りリンク制御信号生成部
１０６６  下りリンク参照信号生成部
１０６８  多重部
１０７０  無線送信部
１１２０  無線受信部
１１２２  伝搬路推定部
１１２４  多重分離部
１１２６  等化部
１１２８  復調部
１１３０  復号部
２０２  上位層処理部
２０４  制御部
２０６  送信部
２０８  送信アンテナ
２１０  受信アンテナ
２１２  受信部
２０６０  符号化部
２０６２  変調部
２０６４  上りリンク参照信号生成部
２０６６  上りリンク制御信号生成部
２０６８  多重部
２０７０  無線送信部
２１２０  無線受信部
２１２２  多重分離部
２１２４  伝搬路推定部
２１２６  等化部
２１２８  復調部
２１３０  復号部
【図１】
2020072375.tif 000003
【図２】
2020072375.tif 000004
【図３】
2020072375.tif 000005
【図４】
2020072375.tif 000006
【図５】
2020072375.tif 000007